(57)【要約】【課題】自分撮り構図確認用の反射鏡を備える撮影装置において、反射鏡の傷付きに対応できるようにする。【解決手段】被写体を撮影する撮影レンズ２を含む撮影手段と、その撮影レンズ２の前面に配置され、被写体からの入射光を撮影レンズ２に透過させる透光部を有する反射鏡３と、を備える撮影装置であって、反射鏡３は、透光部を含んだ所定の部分が、当該透光部を含んだ所定の部分以外と異なる。具体的には、反射鏡３の透光部を含んだ所定の部分の形状は、当該反射鏡３の表面に対して突起４していて、その突起４を複数有している。【選択図】図１
2016057376.tif 000002
【特許請求の範囲】
【請求項１】
被写体を撮影する撮影レンズを含む撮影手段と、
前記撮影レンズの前面に配置され、前記被写体からの入射光を前記撮影レンズに透過させる透光部を有する反射鏡と、を備える撮影装置であって、
前記反射鏡は、前記透光部を含んだ所定の部分が、当該透光部を含んだ所定の部分以外と異なることを特徴とする撮影装置。
【請求項２】
前記反射鏡の前記透光部を含んだ所定の部分の形状は、当該反射鏡の表面に対して突起していることを特徴とする請求項１に記載の撮影装置。
【請求項３】
前記突起を複数有していることを特徴とする請求項２に記載の撮影装置。
【請求項４】
前記突起は円状となっていることを特徴とする請求項２に記載の撮影装置。
【請求項５】
前記反射鏡の前記透光部を含んだ所定の部分は、前記透光部を含んだ所定の部分以外とは別部品となっていることを特徴とする請求項１に記載の撮影装置。
【請求項６】
前記透光部は、所定の透過率と反射率を有するハーフミラーであることを特徴とする請求項１から５の何れか一項に記載の撮影装置。
【請求項７】
前記反射鏡は、所定の透過率と反射率を有するハーフミラーであることを特徴とする請求項１から６の何れか一項に記載の撮影装置。
【請求項８】
前記反射鏡は、前記撮影レンズの側である裏面の前記所定の部分以外に、所定の印刷が施されていることを特徴とする請求項７に記載の撮影装置。
【請求項９】
前記撮影レンズの外側に配置された発光体を備えることを特徴とする請求項７に記載の撮影装置。
【請求項１０】
前記反射鏡は、凸面鏡であることを特徴とする請求項１から９の何れか一項に記載の撮影装置。
【発明の詳細な説明】
【技術分野】
【０００１】
本発明は、自分撮り構図確認用の反射鏡を備える撮影装置に関する。
【背景技術】
【０００２】
カメラにおいて、自分撮り時の構図確認用に撮影レンズ付近に小型の鏡を実装したものが知られている（例えば特許文献１参照）。
なお、監視用カメラ等でハーフミラー越しに撮影するカメラも知られている。
また、固体撮像素子の受光面内に被写体の光学的像が収まるように、自分撮り構図確認用のハーフミラーを透過する光を収束させる光収束手段（凸レンズ）を設けた画像入力装置もある（特許文献２参照）。
【先行技術文献】
【特許文献】
【０００３】
【特許文献１】特開２００３−１９５４０３号公報
【特許文献２】特開２０００−２７８５６７号公報
【発明の概要】
【発明が解決しようとする課題】
【０００４】
ところで、自分撮りを目的とし、撮影レンズ前面に大きなハーフミラーを擁するカメラにおいて、ハーフミラー面が外観面となるため、ハーフミラー面に傷が付きやすいという問題がある。
【０００５】
本発明の課題は、自分撮り構図確認用の反射鏡を備える撮影装置において、反射鏡の傷付きに対応できるようにすることである。
【課題を解決するための手段】
【０００６】
以上の課題を解決するため、本発明は、
被写体を撮影する撮影レンズを含む撮影手段と、
前記撮影レンズの前面に配置され、前記被写体からの入射光を前記撮影レンズに透過させる透光部を有する反射鏡と、を備える撮影装置であって、
前記反射鏡は、前記透光部を含んだ所定の部分が、当該透光部を含んだ所定の部分以外と異なることを特徴とする。
【発明の効果】
【０００７】
本発明によれば、自分撮り構図確認用の反射鏡を備える撮影装置において、反射鏡の傷付きを防止できる等、反射鏡の傷付きに対応できるようにすることができる。
【図面の簡単な説明】
【０００８】
【図１】本発明を適用した撮影装置の一実施形態の構成を示すもので、カメラの反射鏡を透視して示した斜視図である。
【図２】図１のカメラの正面図である。
【図３】変形例１を示した正面図である。
【図４】変形例２を示した正面図である。
【図５】実施形態２を示すもので、カメラの斜視図である。
【図６】図５のカメラの中央横断平面図である。
【図７】図６の矢印Ａ部の拡大図である。
【図８】変形例３を示した拡大横断面図である。
【図９】変形例４を示した拡大横断面図である。
【発明を実施するための形態】
【０００９】
以下、図を参照して本発明を実施するための形態を詳細に説明する。
【００１０】
（要点１）
自分撮りを目的としたハーフミラーを備えるカメラにおいて、ハーフミラーの外観面で、撮影レンズの画角を避けたギリギリの部分に、微小突起を設ける。
その微小突起は、ハーフミラーの撮影レンズ画角部分の保護と撮影レンズ位置を告知するような形状とする。
【００１１】
（実施形態１）
図１及び図２は本発明を適用した撮影装置の一実施形態の構成としてカメラを示すもので、１は筐体、２は撮影レンズ、３はハーフミラーである。
【００１２】
図示のように、カメラは、筐体１の撮影レンズ２の前面側に大きなハーフミラー３を有する自分撮りカメラである。
このハーフミラー３は、所定の透過率と反射率を有する凸面鏡で、被写体からの入射光を撮影レンズ２に透過させる透光部を有している。この透光部は、少なくとも撮影レンズ２の画角部分に対応している。
【００１３】
なお、カメラの筐体１には、撮影レンズ２と、その撮影レンズ２を通した画像を取り込む撮像素子とを含む撮影手段が内蔵されるとともに、その撮影手段により撮影された画像データを処理するコンピュータが内蔵されている。
【００１４】
この自分撮りカメラにおいて、ハーフミラー３の外観面で、撮影レンズ２の仮想線で示された画角の輪郭２ａを避けたギリギリの外側部分に、図示のように、微小突起４を一体に形成する。
この微小突起４の形状は、図示例では、上下左右の４方向リブで、ハーフミラー３の中央部分に負荷が直接掛からない形状となっている。
【００１５】
このように、ハーフミラー３の外観面で、撮影レンズ２の仮想線で示された画角の輪郭２ａを避けたギリギリの部分に、上下左右の４方向リブによる微小突起４を設けたため、例えば、ハーフミラー３側を下にしてカメラを机等に置いた場合、その凸面鏡の中央の４方向リブによる微小突起４が机等に接触する。
従って、ハーフミラー３中央の撮影レンズ２画角（輪郭２ａ参照）部分に対する傷付きや指紋の付着を、４方向リブによる微小突起４の存在により防止して保護することができる。
【００１６】
そして、自分撮り時において、ハーフミラー３中央の４方向リブによる微小突起４を見ながら撮影することで、撮影レンズ２に目線の合った写真撮影をすることができる。
【００１７】
以上、実施形態の自分撮り構図確認用のハーフミラー３を備えるカメラによれば、ハーフミラー３外観面に微小突起４を設けることで、画質に影響する部分のハーフミラー３の傷付き防止や指紋付着防止の効果が得られる。また、微小突起４が撮影レンズ２の位置の告知となり、撮影時に目線の合った写真撮影が可能になるという効果も得られる。
【００１８】
（変形例１）
実施形態の微小突起４に代えて、図３のように、ハーフミラー３の中央にリング状リブ５を形成してもよい。
このリング状リブ５は、ハーフミラー３の外観面で、撮影レンズ２の画角輪郭２ａ（図１及び図２参照）を避けたギリギリの外側部分に沿って設ける。
【００１９】
（変形例２）
実施形態の微小突起４や変形例１のリング状リブ５に代えて、図４のように、ハーフミラー３の中央に別部品の透光部材による円形部材６を嵌め込む構造としてもよい。
この円形部材６は、外周部にリング状リブを有して、ハーフミラー３の撮影レンズ２の画角輪郭２ａ（図１及び図２参照）を含むその外側のギリギリの部分のみの形状とする。
【００２０】
このように、ハーフミラー３の撮影レンズ２画角部分のみを別部品の透光部材による円形部材６とすることで、この円形部材６に傷が付いた場合には、その円形部材６のみ交換して、撮影レンズ２画角部分の傷付きに対応することができる。
【００２１】
なお、ハーフミラー３全体を取り替え可能な構造としてもよい。
【００２２】
（要点２）
ハーフミラーの裏面に、撮影レンズと、その撮影レンズの外側に発光体を設ける。
【００２３】
（実施形態２）
図５及び図６は実施形態２のカメラを示すもので、１１は筐体、１２は化粧パネル、１３はモニター、１４は電池、１５は回路基板、１６は撮影レンズ、２１はハーフミラーである。
【００２４】
図示のように、カメラは、筐体１１の前面に化粧パネル１２、及び凸面鏡によるハーフミラー２１が設けられ、筐体１１の背面にモニター１３が設けられて、筐体１１の内部に電池１４、回路基板１５、及び撮影レンズ１６が設けられている。
ハーフミラー２１は、所定の透過率と反射率を有し、被写体からの入射光を撮影レンズ１６に透過させる透光部を有している。この透光部は、少なくとも撮影レンズ１６の画角部分に対応している。
【００２５】
図７は図６の矢印Ａ部を拡大したもので、２２は取付台、２５はＬＥＤ、２６はリング状導光体である。
【００２６】
図示のように、ハーフミラー２１の背面側に取付台２２を設けて、その取付台２２に撮影レンズ１６の周囲を囲んで前面に開口するリング状凹部２３を形成する。そして、このリング状凹部２３の奥面に発光体としてＬＥＤ２５を複数設けるとともに、リング状凹部２３にリング状導光体２６を設けている。
従って、取付台２２のリング状凹部２３内のＬＥＤ２５が発光すると、その前面側のリング状導光体２６が光って、撮影レンズ１６の周囲をリング状に光らせる構造となる。
【００２７】
このように、撮影レンズ１６の周囲のＬＥＤ２５が発光することで、撮影レンズ１６の周囲のリング状導光体２６の全体が導光により発光する。
よって、図５に示すように、ハーフミラー２１の中央に位置する撮影レンズ１６の周囲がリング状に光る。
それにより、自分撮りする際に被写体でもある撮影者は、ハーフミラー２１を見て撮影レンズ１６の位置を明確に知ることができるので、視線をそこに合わせることができる。
【００２８】
なお、リング状導光体２６を光らせるタイミングは、電源ＯＮで常時でも良いし、シャッターキーの半押しの時にだけでもよいし、通常のセルフタイマーランプ同様、カウントダウンに合わせてもよい。
【００２９】
以上、実施形態２のハーフミラー２１を備えるカメラによれば、ハーフミラー２１の裏面で、撮影レンズ１６の外周側に沿って光るリング状発光体２６を設けたため、自分撮りする際の被写体の撮影者にとって、撮影レンズ１６の位置が少なくとも撮影前の瞬間に判るので、視線を合わせやすい。
【００３０】
（変形例３）
図８は実施形態２の変形例を示すもので、図示のように、ハーフミラー２１の背面側に設けた取付台２２の全周囲に前面に開口する全周凹部２４を形成して、この全周凹部２４の奥面に発光体としてＬＥＤ２５を複数設けるとともに、全周凹部２４に沿って全周導光体２６を設けている。
従って、取付台２２の全周凹部２４内のＬＥＤ２５が発光すると、その前面側の全周導光体２６が光って、ハーフミラー２１の全周囲を光らせる構造となる。
【００３１】
このように、ハーフミラー２１の周囲のＬＥＤ２５が発光することで、ハーフミラー２１の全周導光体２６の全体が導光により発光する。
それにより、自分撮りする際に撮影者は、ハーフミラー２１の全周囲の発光を見てその中央の撮影レンズ１６の位置を明確に知ることができるので、視線をそこに合わせることができる。
【００３２】
また、ハーフミラー２１の全周を光らせて、ブレ警告や光量不足などを広い範囲で警告することもできる。
これにより、各種警告も兼ねることができるので、普段は何も無いところが警告時に光り、効果的に警告ができる。
【００３３】
さらに、ハーフミラー２１の全周導光体２６の光を瞳に映りこませることで、「キャッチライト」を作り出すことができる。
しかも、一般的な警告ＬＥＤライト一点より、はるかに広いハーフミラー２１の全面積を使って光るため、より大きく、瞳に光が映り込んだ自分撮り撮影することができる。
【００３４】
（変形例４）
図９は実施形態２の変形例を示すもので、図示のように、ハーフミラー２１の背面側に設けた取付台２２に前面に開口して人の顔の輪郭形状に対応する顔輪郭凹部２４を形成して、この顔輪郭凹部２４の奥面に発光体としてＬＥＤ２５を複数設けるとともに、顔輪郭凹部２４に沿って顔輪郭導光体２６を設けている。
従って、取付台２２の顔輪郭凹部２４内のＬＥＤ２５が発光すると、その前面側の顔輪郭導光体２６が光って、ハーフミラー２１に顔輪郭を光らせる構造となる。
【００３５】
このように、ハーフミラー２１が顔の形状で光れば、その光る顔輪郭に顔の位置を合わせて自分撮りすることができ、より正確に画角や画像中心と顔を合わせることができる。
それにより、自分撮りする際に撮影者は、ハーフミラー２１の顔輪郭の発光を見てその中央の撮影レンズ１６の位置を明確に知ることができるので、顔の位置をそこに合わせることができる。
【００３６】
そして、ハーフミラー２１の光った顔輪郭に被写体の顔を合わせることで、より正確に顔の位置が合うため、最適な視野率で、被写体の顔がケラレたり、必要以外の部分が撮り過ぎないようにできる。
【００３７】
さらに、ハーフミラー２１の顔輪郭導光体２６の光を瞳に映りこませることで、「キャッチライト」を作り出すことができる。
しかも、一般的な警告ＬＥＤライト一点より、はるかに広いハーフミラー２１の面積を使って顔輪郭が光るため、より大きく、瞳に光が映り込んだ自分撮り撮影することができる。
【００３８】
（他の変形例）
以上の実施形態においては、カメラとしたが、本発明はこれに限定されるものではなく、カメラを備える携帯電話など他の電子機器であってもよい。
また、反射鏡は、撮影レンズの側である裏面の透光部を含んだ所定の部分以外に、所定の印刷を施して、撮影レンズの位置が判るようにしてもよい。
さらに、突起の個数や形状、その他、各部の形状は任意であり、具体的な細部構造等についても適宜に変更可能であることは勿論である。
【００３９】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
被写体を撮影する撮影レンズを含む撮影手段と、
前記撮影レンズの前面に配置され、前記被写体からの入射光を前記撮影レンズに透過させる透光部を有する反射鏡と、を備える撮影装置であって、
前記反射鏡は、前記透光部を含んだ所定の部分が、当該透光部を含んだ所定の部分以外と異なることを特徴とする撮影装置。
＜請求項２＞
前記反射鏡の前記透光部を含んだ所定の部分の形状は、当該反射鏡の表面に対して突起していることを特徴とする請求項１に記載の撮影装置。
＜請求項３＞
前記突起を複数有していることを特徴とする請求項２に記載の撮影装置。
＜請求項４＞
前記突起は円状となっていることを特徴とする請求項２に記載の撮影装置。
＜請求項５＞
前記反射鏡の前記透光部を含んだ所定の部分は、前記透光部を含んだ所定の部分以外とは別部品となっていることを特徴とする請求項１に記載の撮影装置。
＜請求項６＞
前記透光部は、所定の透過率と反射率を有するハーフミラーであることを特徴とする請求項１から５の何れか一項に記載の撮影装置。
＜請求項７＞
前記反射鏡は、所定の透過率と反射率を有するハーフミラーであることを特徴とする請求項１から６の何れか一項に記載の撮影装置。
＜請求項８＞
前記反射鏡は、前記撮影レンズの側である裏面の前記所定の部分以外に、所定の印刷が施されていることを特徴とする請求項７に記載の撮影装置。
＜請求項９＞
前記撮影レンズの外側に配置された発光体を備えることを特徴とする請求項７に記載の撮影装置。
＜請求項１０＞
前記反射鏡は、凸面鏡であることを特徴とする請求項１から９の何れか一項に記載の撮影装置。
【符号の説明】
【００４０】
１  筐体
２  撮影レンズ
２ａ  画角の輪郭
３  反射鏡
４  突起
５  突起
６  別部品（円形部材）
１１  筐体
１６  撮影レンズ
２１  ハーフミラー
２５  発光体
２６  導光体
【図１】
2016057376.tif 000003
【図２】
2016057376.tif 000004
【図３】
2016057376.tif 000005
【図４】
2016057376.tif 000006
【図５】
2016057376.tif 000007
【図６】
2016057376.tif 000008
【図７】
2016057376.tif 000009
【図８】
2016057376.tif 000010
【図９】
2016057376.tif 000011